(57)【要約】【課題】  シート状素材を一枚ずつ確実に捲り取ることができ、且つ、新たな冊子を補充して繰り返し使用できる冊子ホルダを提供するとともに、前記冊子ホルダに専用に用いられる、製造が容易で製造コストの安い冊子を提供する。【解決手段】  多数積層したシート状素材３Ａを揃えて垂直に裁断した矩形状の小口面にガイド耳部ａを突出させたベース板３Ｂを接着した冊子３を用いて、冊子ホルダ１のホルダ本体２に設けたガイドレール部７と第２のガイドレール部８で、ベース板３Ｂの前後のガイド耳ａをそれぞれ、ガイドレール部７、８の少なくとも一方の端から挿抜可能に保持し、冊子３の前側のシート状素材３Ａの下端をその背後のシート状素材３Ａ下端よりも下方に突出させて一枚ずつ捲り取り易くする。【選択図】  図１
0003138953.tif 000002
【実用新案登録請求の範囲】
【請求項１】
多数積層したシート状素材を揃えて垂直に裁断した矩形状の小口面の前後の２辺に沿って、これらの２辺の外側に所定幅のガイド耳部を突出させたベース板を前記小口面にシート状素材を一枚ずつ剥離可能に接着してなる冊子を、壁面等の垂直面に保持するための冊子ホルダであって、
垂直面に取り付けられるホルダ本体と、
前記ホルダ本体に長手方向を水平にして設けられた第１のガイドレール部と、
前記ホルダ本体に、第１のガイドレール部よりも高い位置でこれと平行して設けられた第２のガイドレール部とを備え、
第１のガイドレール部と第２のガイドレール部で、ベース板を上側にした前記ベース板の前後のガイド耳をこれらのガイドレール部の少なくとも一方の端から挿抜可能に保持するようにしたことを特徴とする冊子ホルダ。
【請求項２】
多数積層したシート状素材を揃えて垂直に裁断した矩形状の小口面の左右の２辺に沿って、これらの２辺の外側に所定幅のガイド耳部を突出させたベース板を前記小口面にシート状素材を一枚ずつ剥離可能に接着してなる冊子を壁面等の垂直面に保持するための冊子ホルダであって、  
垂直面に取り付けられるホルダ本体と、
前記ホルダ本体に、上端側が後方に傾斜するように平行して左右一対設けられ、冊子のベース板を上側にして前記ベース板の左右に突出するガイド耳部のそれぞれを、前側上部もしくは上端から係合可能で、且つ、長手方向にスライド自在に保持する傾斜ガイドレール部と、
前記ホルダ本体に、これらの傾斜ガイドレール部の下端間に亘って水平に設けられ、ベース板の前端縁に当接して前記ベース板をホルダ本体の左右方向にスライド自在に保持する水平ガイドレール部と、
前記ホルダ本体に、水平ガイドレール部の長手方向にスライド操作可能に設けられ、水平ガイドレール部に保持されているベース板に当接して押動させるベース板取出駒とを備え、
前記一対の傾斜ガイドレール部は、少なくとも２冊の冊子のベース板を前後幅方向に並べて保持可能な長さを有しているとともに、これらの傾斜ガイドレールの少なくとも一方の下部側面には、ベース板取出駒のスライド操作により、使用済みのベース板を押動してホルダ本体側方に取り出すためのベース板取出口が形成されていることを特徴とする冊子ホルダ。
【請求項３】
多数積層したシート状素材を揃えて垂直に裁断した矩形状の小口面の対向する２辺に沿って、これらの２辺の外側に所定幅のガイド耳部を突出させたベース板を前記小口面にシート状素材を一枚ずつ剥離可能に接着したことを特徴とする冊子。
【考案の詳細な説明】
【技術分野】
【０００１】
本考案は、一枚ずつ剥がして使用するために、紙等のシート状素材を多数積層して上端の小口面で接着ある冊子を壁面等に保持して使用するための冊子ホルダに関し、また、前記冊子ホルダのために専用に用いられる冊子に関する。
【背景技術】
【０００２】
メモ帳や日捲りカレンダーのように多数のシート状素材が積層されて、垂直に裁断された小口面一方で一枚ずつ分離可能に接着されている冊子類は、一番上のシート状素材を指で捲り取ろうとすると、シート状素材の厚みが薄いほど一枚だけ分離して捲るのが容易ではなく、複数枚をまとめて捲ってしまって、不必要な枚数分を無駄にしてしまうことがある。
【０００３】
そこで、従来より、多数のシート状素材を積層した冊子の開放端を上部から順次捲りやすくするために、下方内側に向いた鋭角状の斜面とした斜め小口とする提案がなされている。（特許文献１参照）
【特許文献１】特開平１１−３０１１４０号公報
【考案の開示】
【考案が解決しようとする課題】
【０００４】
前述した、特許文献１に記載されている技術のように、積層されたシート状素材の一片を斜め小口状に裁断することで、一枚ずつ捲り易くすることが可能である。しかし、積層されたシート状素材を裁断する場合に、積層部表面から単純に垂直に裁断すれば、積層された全てのシート状素材を同じ寸法で裁断することができ、特殊な加工技術も必要としないが、斜め小口状に加工する場合には、製造コストが高くなる問題があった。
【０００５】
また、積層されたシート状素材の一辺を斜め小口状に裁断加工すると、後方のシート状素材ほど段階的にシート状素材の長さが減寸されてしまうため、積層された全てのシート状素材に同一の図柄を印刷するような場合には、減寸された最小寸法のシート状素材の長さに合わせて図柄を印刷しなければならず、前方のシート状素材に印刷の余白部分が生じてしまう問題があった。
【０００６】
そこで、本考案は、前述したような従来技術における問題を解消し、シート状素材を一枚ずつ確実に捲り取ることができ、且つ、新たな冊子を補充して繰り返し使用できる冊子ホルダを提供するとともに、前記冊子ホルダに専用に用いられる、製造が容易で製造コストの安い冊子を提供することを目的とする。
【課題を解決するための手段】
【０００７】
前記課題を解決するため、本考案の冊子ホルダは第１に、多数積層したシート状素材を揃えて垂直に裁断した矩形状の小口面の前後の２辺に沿って、これらの２辺の外側に所定幅のガイド耳部を突出させたベース板を前記小口面にシート状素材を一枚ずつ剥離可能に接着してなる冊子を、壁面等の垂直面に保持するための冊子ホルダであって、垂直面に取り付けられるホルダ本体と、 前記ホルダ本体に長手方向を水平にして設けられた第１のガイドレール部と、前記ホルダ本体に、第１のガイドレール部よりも高い位置でこれと平行して設けられた第２のガイドレール部とを備え、第１のガイドレール部と第２のガイドレール部でベース板を上側にした前記ベース板の前後のガイド耳をこれらのガイドレール部の少なくとも一方の端から挿抜可能に保持するようにしたものである。
【０００８】
また、本考案の冊子ホルダは第２に、多数積層したシート状素材を揃えて垂直に裁断した矩形状の小口面の左右の２辺に沿って、これらの２辺の外側に所定幅のガイド耳部を突出させたベース板を前記小口面にシート状素材を一枚ずつ剥離可能に接着してなる冊子を壁面等の垂直面に保持するための冊子ホルダであって、垂直面に取り付けられるホルダ本体と、前記ホルダ本体に、上端側が後方に傾斜するように平行して左右一対設けられ、冊子のベース板を上側にして前記ベース板の左右に突出するガイド耳部のそれぞれを、前側上部もしくは上端から係合可能で、且つ、長手方向にスライド自在に保持する傾斜ガイドレール部と、前記ホルダ本体に、これらの傾斜ガイドレール部の下端間に亘って水平に設けられ、ベース板の前端縁に当接して前記ベース板をホルダ本体の左右方向にスライド自在に保持する水平ガイドレール部と、前記ホルダ本体に、水平ガイドレール部の長手方向にスライド操作可能に設けられ、水平ガイドレール部に保持されているベース板に当接して押動させるベース板取出駒とを備え、前記一対の傾斜ガイドレール部は、少なくとも２冊の冊子のベース板を前後幅方向に並べて保持可能な長さを有しているとともに、これらの傾斜ガイドレールの少なくとも一方の下部側面には、ベース板取出駒のスライド操作により、使用済みのベース板を押動してホルダ本体側方に取り出すためのベース板取出口が形成されているものである。
【０００９】
また、本考案の冊子は、多数積層したシート状素材を揃えて垂直に裁断した矩形状の小口面の対向する２辺に沿って、これらの２辺の外側に所定幅のガイド耳部を突出させたベース板を、前記小口面にシート状素材を一枚ずつ剥離可能に接着したものである。
【考案の効果】
【００１０】
請求項１記載の考案に係る冊子ホルダによれば、シート状素材が多数枚積層された冊子から、容易に一枚ずつシート状素材を捲り取ることができ、複数枚のシート状素材を重ねて捲り取って無駄にしてしまうおそれがなく、日捲りカレンダーのように、必ず１枚ずつ捲り取る必要がある場合において、特に効果的に用いることができる。
【００１１】
また、冊子の前側のシート状素材下端をその背後のシート状素材下端よりも下方に突出させて一枚ずつ捲り取り易くするために、積層されたシート状素材の下端を斜めに裁断する必要がなく、裁断コストを節約できるとともに、積層されているシート状素材の上下寸法を全て同じサイズにできるため、シート状素材の下端近傍部分への印刷等が制約されることがなく、シート状素材全面を無駄なく利用することができる。
【００１２】
また、冊子ホルダは、構造が簡単で冊子の装着が容易であるとともに、シート状素材を全部使い切った場合には、不要となったベース板をガイドレール部から抜き取ってこれだけを廃棄すればよく、冊子ホルダ自体は捨てることなく、再度新たな冊子を装着して繰り返し利用することができる。  また、冊子を壁面等の垂直面に保持して使用することができるため、場所を取らず、様々な用途に広く利用することができる。
【００１３】
また、請求項２記載の考案に係る冊子ホルダによれば、請求項１記載の考案に係る冊子ホルダと同様な効果に加えてさらに、冊子を２連装にしているため、１つの冊子を使い切った時点で、不要となったベース板を容易に排出して予備の冊子を続けて使用することができ、途中でシート状素材切れになるおそれが無く、また、１つの冊子を使い切った場合には、新たな予備の冊子を簡単に補充しておくことができる。
【００１４】
また、請求項３記載の考案に係る冊子によれば、ベース板を規格化しておくことで、１つの冊子ホルダに様々な仕様のシート状素材を装着することができ、汎用性を高めることができる。
また、従来から使用されている伝票類やメモ帳類の版下等を作り替えることなく、高度な設備や技術を必要とせずに、冊子の小口面の対向する２辺に沿って、これらの２辺の外側に所定幅のガイド耳部を突出させたベース板を接着するだけで、請求項１または請求項２に記載されている冊子ホルダに使用可能な冊子を容易且つ低コストに製造することができる。
【考案を実施するための最良の形態】
【００１５】
以下、図面に基づいて、本考案の実施形態を説明する。
図１は、本考案の１実施形態における、冊子を装着した状態を斜め後方から見た冊子ホルダの斜視図、図２は、その側面図であって、これらの図に示すように、冊子ホルダ１は、壁面Ｗ等の垂直面に取り付けられるホルダ本体２を備えている。
【００１６】
本実施形態においては、ホルダ本体２は、図３に示すように、多数積層したシート状素材３Ａを揃えて裁断した矩形状の小口面に硬い厚紙からなる矩形状のベース板３Ｂ、をシート状素材３Ａを一枚ずつ捲って剥離できるように接着して構成されている冊子３と、ほぼ等しい幅の垂直な取付板４を有していて、この取付板４を図２に示すように壁面等の垂直面Ｗに当てがって、図示していないビス等の固定手段を用いて固定するようにしてある。
【００１７】
また、ホルダ本体２は、取付板４の上端から前方に直角に折り曲げられて水平で一定の前後幅を有する矩形状の天板５を有していて、この天板５の前端縁には、取付板４と平行で上下方向の幅が一定な正面板６が連設されている。
【００１８】
正面板６の上端と下端の裏面側には、長手方向に平行する一対の水平なガイドレール部７、８が形成されている。これらのガイドレール部７、８は、互いに上下に対向するコ字状の横断面を有していて、冊子３のベース板３Ｂを上下両側から係合保持している。
【００１９】
前記ベース板３Ｂの左右幅は、シート状素材３Ａと略等しく、また、前後幅は、図３に示すように、前記矩形状の小口面の前後に対向する２辺に沿って、これらの２辺の外側に同一幅のガイド耳部ａが突出するように、積層されたシート状素材の厚みより大きく形成されている。
【００２０】
また、ベース板３Ｂの前後幅は、前記一対のガイドレール部７、８の対向間隔に適合する寸法に形成されていて、冊子ホルダ１に冊子３を装着する際には、冊子３のベース板３Ｂを上側にして、ベース板３Ｂの冊子３の前面側のガイド耳部ａが、冊子３の裏面側のガイド耳部ａの下方になるようにベース板３Ｂを垂直に傾け、これらのガイド耳部ａをそれぞれガイドレール部７、８内へ、正面板６の左右何れかの側方から差し込むことにより、ベース板３Ｂは、両ガイドレール部７、８間で図２に示すように垂直な姿勢で保持される。
【００２１】
また、冊子３を構成するシート状素材３Ａの最後部の裏面は、ホルダ本体２の取付板４の内側の面に当たって保持されるので、冊子３の上部は確実に前方に曲げられ、その結果、冊子３のシート状素材３Ａの前側のものの下端が、その背後のシート状素材３Ａの下端よりも下方に突出した状態で冊子ホルダ１に保持され、前面に出ているシート状素材３Ａの下端を一枚だけを容易に捲り取ることができる。
【００２２】
なお、本実施形態のものにおいては、一対のガイドレール部７、８を垂直面内に配置して、冊子３のベース板３Ｂを垂直な姿勢で保持するようにしているが、冊子３が深く曲がりにくいものの場合には、下方のガイドレール部７を上方のガイドレール部８より前方に配置して、ベース板３Ｂを垂直でなく、前方が下方に傾斜した姿勢で保持するようにしてもよい。  
【００２３】
次に、図４は、本考案の冊子ホルダの別の実施形態における冊子が空の状態を示す斜視図、図５及び図６は、それぞれ、図４に示す冊子ホルダに冊子を装着した状態を示す斜視図と側面図であって、これらの図に示す冊子ホルダ１１は、冊子１３を２冊分装着し、一冊目を使い切ったときに、直ちにもう一冊の冊子１３を使用することができるように、２連装に構成したものである。
【００２４】
また、図７は、冊子ホルダ１１に専用に使用する冊子の斜視図であって、同図（Ａ）に示すように、冊子１３は、先に述べた実施形態における冊子３と同様に、多数積層したシート状素材１３Ａを揃えて裁断した矩形状の小口面に、硬い厚紙からなる矩形状のベース板１３Ｂをシート状素材１３Ａを一枚ずつ捲って剥離できるように接着して構成されている。
【００２５】
前記ベース板１３Ｂの前後幅は、積層されたシート状素材１３Ａ全体の厚みと略等しく、また、左右幅は、前記矩形状の小口面の左右に対向する２辺に沿って、これらの２辺の外側に同一幅のガイド耳部ａ’が突出するように、シート状素材１３Ａの左右幅よりも幅広く形成されている。
また、ベース板１３Ｂに設けられているガイド耳部ａ’の右側のものにおいては、その前端部に切欠部Ｎが設けられている。なお、この切欠部Ｎの役割については後述する。
【００２６】
また、冊子１３をベース板１３Ｂ側を上側にして冊子ホルダ１１に装着した状態では、同図（Ｂ）に示すように、ベース板１３Ｂの前方が下方に傾いた状態となり、この状態では、積層されたシート状素材１３Ａの下端が斜め小口状に変形して最前のシート状素材１３Ａの下端が背後のシート状素材１３Ａの下端よりも下方にずれるようになっている。
【００２７】
冊子ホルダ１１を構成しているホルダ本体１２は、取付板１４と、天板１５、正面板１６、及び、左右一対の側板１７、１８からなり、取付板１４の背面が、ねじ止め等の図示していない固定手段によって、図６に示すように、壁等の垂直面Ｗに固定される構造になっている。
【００２８】
側板１７、１８は、前端縁が傾斜した台形状に形成されていて、これらの前端縁の内側には、一対の傾斜レール１９、２０が固定されている。傾斜ガイドレール部１９、２０は、側板１７、１８の前端縁と同じ角度で、上端側が後方（取付板１４側）に傾斜するように平行に設けられている。
【００２９】
これらの傾斜ガイドレール部１９、２０は、冊子１３のベース板の前後幅より全長が長く、本実施形態のものにおいては、側板１７、１８の前端縁の長さと略等しい長さを有している。また、これらのガイドレール部１９、２０の下半部は、正面板１６によって覆われており、上半部は、正面板１６の上端縁と天板１５の前端縁の間に形成されている冊子差込口２１の左右両端部に露出している。
【００３０】
また、正面板１６の水平な下端縁に沿って、その内側には水平ガイドレール部２２が形成されている。前記水平ガイドレール部２２は、傾斜ガイドレール部１９、２０の下端間に亘って設けられており、その左側の端面は、側板１７の前端縁下方部分に開口されているスリット状のベース板取出口２３の下端縁を構成している。
【００３１】
ベース板取出口２３は、後述するように、冊子ホルダ１１に装着されている１つの冊子１３のシート状素材１３Ａを全て使い終わった時に、不要となったベース板１３Ｂを冊子ホルダ１１から排出するために設けられているものであって、その高さと幅はベース板１３Ｂを通過可能なサイズになっている。
【００３２】
また、正面板１６の下端縁近傍には、水平方向にガイドスリット２４が形成されており、このガイドスリット２４には、スライド板排出駒２５がスライド自在に装着されている。このスライド板排出駒２５は、ガイドスリット２４を貫通して正面板１６の裏面側に水平ガイドレール部２２上に位置するプッシャ部２５Ａ（図６参照）を備えている。
【００３３】
次に、前述したように構成されている冊子ホルダ１１の使用方法を説明する。図４に示すような空の状態の冊子ホルダ１１に１冊目の冊子１３を装着する場合には、ベース板取出駒２５を図４に示すように、ガイドスリット２４の右端に移動させておいて、冊子１３をベース板１３Ｂを上側にし、且つ、冊子１３の前面を手前側にして、冊子差込口２１から冊子１３を冊子ホルダ１内に差し込む。
【００３４】
このとき、図７（Ｂ）のように冊子１３を変形させて、ベース板１３Ｂの傾斜を冊子差込口２１の両側に露出している左右両側の傾斜ガイドレール部１９、２０の傾斜に合わせ、これらの傾斜ガイドレール部１９、２０にベース板１３Ｂの左右両側のガイド耳部ａ’を保持させる。
【００３５】
なお、傾斜ガイドレール部１９、２０は、互いに対称的に向き合うＬ字形の横断面形状に形成されていて、これらの間にベース板１３Ｂを前方から差し込み可能で、両側のガイド耳部ａ’の裏面を係合保持する構造になっている。
【００３６】
こうして、左右の傾斜ガイドレール部１９、２０にベース板１３Ｂ両側のガイド耳部ａ’を係合させた後、そのまま、これらの傾斜ガイドレール部１９、２０に沿って正面板１６の裏側へスライドさせ、ベース板１３Ｂの前端縁を水平ガイドレール部２２上に当接させる。この際、ベース板１３Ｂに形成されている切欠部Ｎに、ベース板取出駒２５のプッシャ部２５Ａが入り込む。
【００３７】
次いで、２冊目の冊子１３を、１冊目と同様にして図８に示すように、冊子差込口２１から差し込んで傾斜ガイドレール部１９、２０にベース板１３Ｂを保持させるとともに下方へ移動させて、２冊目の冊子のベース板１３Ｂの前端縁をその下方の一冊目のベース板１３Ｂの後端縁に当接させる。
【００３８】
こうして冊子ホルダ１１に２冊の冊子１３をセットすると、図５及び図６に示すように、一冊目の冊子１３の最前のシート状素材１３Ａの下端は、その背後に隣接するシート状素材１３Ａとの間に段差を生じて確実に捲り取ることができる。
【００３９】
そして、一冊目の冊子１３のシート状素材１３Ａ全部を使い切ると、そのベース板１３Ｂのみが残る。この状態で、ベース板取出駒２５を指でガイドスリット２４の左方へ向けてスライド操作すると、図９に示すように、使用済みのベース板１３Ｂは、その切欠部Ｎに入り込んでいるベース板取出駒２５のプッシャ部２５Ａに押されて水平ガイドレール２２上をスライドし、左側の側板１７に形成されているベース板取出口２３から外部へ排出される。
【００４０】
こうして、１冊目の冊子１３のベース板１３Ｂが冊子ホルダ１１から排出されると、その上部にあった２冊目の冊子１３が、左右一対の傾斜ガイドレール部１９、２０にベース板１３Ｂのガイド耳部ａ’を案内されて下降し、そのベース板１３Ｂの前端縁が水平ガイドレール部２２上に保持される。
【００４１】
ここで、ガイドスリット２４の左端側に移動しているベース板取出駒２５を元の位置までスライド操作して戻すと、正面板１６の裏側に突出しているプッシャ部２５Ａは、２冊目の冊子１３のベース板１３Ｂの前端縁と水平ガイドレール部２２との間を移動してベース板１３の切欠部Ｎ内へ入り込んで、ベース板１３Ｂは水平になってガイドレール部２２にその前端縁の全体が保持され、２冊目の冊子１３のシート状素材１３Ａが使用可能になる。また、使用可能になった冊子１３に、さらに新たな予備の冊子１３Ｂを補充する場合には、図８に示す既に述べた手順で同様にして行うことができる。
【００４２】
なお、ベース板排出駒２５のプッシャ部２５Ａと右側の傾斜ガイドレール部２０の下端部とを干渉しないような形状にして、ベース板１３Ｂの右端面を押すようにすれば、ベース板１３Ｂに切欠部Ｎを形成する必要はなくなるので冊子１３の製造が容易になって製造コストを下げることができる。
【００４３】
また、前述した実施形態においては、ベース板取出口２３を左方の側板１７側に設けているが、左右逆にして、右側の側板１８側に設けるようにしてもよい。
【００４４】
さらに、前述した実施形態においては、冊子１３の補充を正面板１６の上部に開口した冊子差込口２１から行っているが、冊子差し込み口２１を正面側に設けずに、天板１５を開放して、補充する冊子１３のベース板１３Ｂの左右両側のガイド耳部ａ’を傾斜ガイドレール部１９、２０の上端から差し込んで係合させるようにしてもよい。
この場合には、これらの傾斜ガイドレール部１９、２０に互いに対向するコ字状の横断面形状のものを用いることによって、左右のガイド耳部ａ’をより安定して保持することができる。
【産業上の利用可能性】
【００４５】
本考案の冊子ホルダ及び冊子は、冊子ホルダを壁面や柱等の垂直面に取り付け、一枚ずつ切り離して使用するメモ帳として場所を取らずに利用することができる。また、日捲りカレンダーとして利用した場合には、冊子ホルダはそのままで、カレンダーの冊子部分のみ毎年交換することで、冊子ホルダは永年にわたって繰り返し再利用することができる。
【００４６】
また、本考案の冊子ホルダ及び冊子は、特に、駐車場や駐輪場等においての利用が期待される。例えば、通常の屋内駐車場等には、駐車スペース数台毎に柱があるので、この柱に「お帰りに迷わないよう、お帰りまでお持ちください。」等の文言を表示した案内看板とともに、本考案の冊子ホルダを設置し、駐車位置の案内図を冊子にして利用者が一枚ずつ捲り取るようにすれば、冊子ホルダの単価は安いため、駐車場経営側も相当数の冊子ホルダを容易に設置することができ、駐車位置を案内するための通信網や情報通信端末等のコストの高い通信情報設備が不要となる。
【００４７】
また、利用客が頻繁に案内図を捲り取っても案内図の冊子の補充が容易に行えるため、補充に手間がかからず、特に冊子を２連装にした場合には、混んでいる場合でも途中でシート切れとなる心配もなく、利用客に不便な思いをさせることがない。さらに、駐車場利用者の大多数が案内図を手にすることから、案内図のみならず、駐車場の利用案内や広告等も印刷して利用することが可能であり、利用者の利便性は飛躍的に高まる。
【００４８】
また、包装紙、専用伝票、紙ナプキン等を重ね置く場合等においても、これらを一枚ずつ捲り取り易くすることができ、且つ、補充も簡単に行うことができるため、様々な用途において、非常に便利に利用することができる。
【図面の簡単な説明】
【００４９】
【図１】本考案の冊子ホルダの１実施形態における冊子を装着した状態を示す、斜め後方から見た斜視図である。
【図２】本考案の冊子ホルダの１実施形態における、冊子を装着した状態を示す側面図である。
【図３】本考案の冊子の１実施形態を示す側面図である。
【図４】本考案の冊子ホルダの別の実施形態における冊子が空の状態を示す斜視図である。
【図５】本考案の冊子ホルダの別の実施形態における冊子を装着した状態を示す斜視図である。
【図６】本考案の冊子ホルダの別の実施形態における、冊子を装着した状態を示す側面図である。
【図７】本考案の冊子の別の実施形態を示す斜視図であって、（Ａ）は、冊子ホルダに装着する前の状態、（Ｂ）は、冊子ホルダに装着してベース板の前方が下方に傾いた状態をそれぞれ示す。
【図８】本考案の冊子ホルダの別の実施形態における、２冊目の冊子を補充している途中の状態を示す斜視図である。
【図９】本考案の冊子ホルダの別の実施形態における、空になった冊子のベース板を側方に抜き出す途中の状態を示す斜視図である。
【符号の説明】
【００５０】
１、１１          冊子ホルダ
２、１２          ホルダ本体
３、１３          冊子
３Ａ、１３Ａ       シート状素材
３Ｂ、１３Ｂ       ベース板
ａ、ａ’           ガイド耳部
Ｎ              切欠部
４、１４          取付板
５、１５          天板
６、１６          正面板
７              ガイドレール部（第１のガイドレール部）
８              ガイドレール部（第２のガイドレール部）
１７、１８        側板  
１９、２０        傾斜ガイドレール部
２１            冊子差込口
２２            水平ガイドレール部
２３            ベース板取出口
２４            ガイドスリット
２５            ベース板取出駒
２５Ａ           プッシャ部
【図１】
0003138953.tif 000003
【図２】
0003138953.tif 000004
【図３】
0003138953.tif 000005
【図４】
0003138953.tif 000006
【図５】
0003138953.tif 000007
【図６】
0003138953.tif 000008
【図７】
0003138953.tif 000009
【図８】
0003138953.tif 000010
【図９】
0003138953.tif 000011